(57)【要約】【課題】  機構の簡素化等を図る。【解決手段】  レンズの光軸に略垂直な面内に位置され外形が略円形状に形成された支持面部１８を有するベース板１７と、レンズの光軸に略垂直な面内においてベース板にそれぞれ回動自在に支持された第１の羽根２７及び第２の羽根２８と、略円弧状に形成されたリンク部２４と使用者に操作される被操作部２６とを有しレンズの光軸に略垂直な面内において直線移動される作動アーム２３とを設け、第１の羽根と第２の羽根にそれぞれ作動アームに摺動自在に連結され作動アームによって回動力が付与される連結部２７ｂ、２８ｂを設け、第１の羽根の作動アームとの回動支点を連結部よりレンズの光軸に近い側に形成し、第２の羽根の作動アームとの連結部を回動支点よりレンズの光軸に近い側に形成した。【選択図】図１２
2008164971.tif 000002
【特許請求の範囲】
【請求項１】
レンズの光軸に略垂直な面内に位置され外形が略円形状に形成された支持面部を有するベース板と、
レンズの光軸に略垂直な面内においてベース板にそれぞれ回動自在に支持されると共に回動されてレンズに入射される光を制御する第１の羽根及び第２の羽根と、
略円弧状に形成されたリンク部と使用者に操作される被操作部とを有すると共にレンズの光軸に略垂直な面内において直線移動される作動アームとを備え、
第１の羽根と第２の羽根にそれぞれ作動アームに摺動自在に連結され作動アームによって回動力が付与される連結部を設け、
第１の羽根の作動アームとの回動支点を連結部よりレンズの光軸に近い側に形成し、
第２の羽根の作動アームとの連結部を回動支点よりレンズの光軸に近い側に形成した
ことを特徴とする羽根開閉装置。
【請求項２】
作動アームをベース板の外周側において直線移動させるようにした
ことを特徴とする請求項１に記載の羽根開閉装置。
【請求項３】
第１の羽根を作動アームの移動位置に応じて回動方向における一方又は他方へ付勢する第１のトグルバネと、
第２の羽根を作動アームの移動位置に応じて回動方向における一方又は他方へ付勢する第２のトグルバネとを設けた
ことを特徴とする請求項１に記載の羽根開閉装置。
【請求項４】
ベース板に光を入射させる透過孔を形成し、
透過孔の中心をベース板の中心に対して偏心させてベース板に光軸と直交する方向における幅が広い幅広部と幅が狭い幅狭部とを設け、
幅広部にリンク部の移動スペースを形成した
ことを特徴とする請求項１に記載の羽根開閉装置。
【請求項５】
撮影用の複数のレンズと該複数のレンズに入射される光の量を制御する羽根開閉装置とを備えた撮像装置であって、
羽根開閉装置は、
レンズの光軸に略垂直な面内に位置され外形が略円形状に形成された支持面部を有するベース板と、
レンズの光軸に略垂直な面内においてベース板にそれぞれ回動自在に支持されると共に回動されてレンズに入射される光を制御する第１の羽根及び第２の羽根と、
略円弧状に形成されたリンク部と使用者に操作される被操作部とを有すると共にレンズの光軸に略垂直な面内において直線移動される作動アームとを備え、
第１の羽根と第２の羽根にそれぞれ作動アームに摺動自在に連結され作動アームによって回動力が付与される連結部を設け、
第１の羽根の作動アームとの回動支点を連結部よりレンズの光軸に近い側に形成し、
第２の羽根の作動アームとの連結部を回動支点よりレンズの光軸に近い側に形成した
ことを特徴とする撮像装置。
【発明の詳細な説明】
【技術分野】
【０００１】
本発明は羽根開閉装置及び撮像装置についての技術分野に関する。詳しくは、第１の羽根及び第２の羽根を直線移動される作動アームによって動作させて機構の簡素化等を図る技術分野に関する。
【背景技術】
【０００２】
ビデオカメラ等の各種の撮像装置には、羽根を回動させてレンズに入射される光の量を制御する羽根開閉装置を備えたものがある（例えば、特許文献１参照）。
【０００３】
特許文献１に記載された従来の羽根開閉装置には、回転可能な可動リング部材、該可動リング部材を回転させる変換レバー及び該変換レバーに連結された連結レバーが設けられ、これらの各部材が動作されて羽根（特許文献１にあっては「レンズカバー」）が回動される。
【０００４】
【特許文献１】特開平７−１１１６０９号公報
【発明の開示】
【発明が解決しようとする課題】
【０００５】
ところが、特許文献１に記載された撮像装置にあっては、羽根の回動のために可動リング部材、変換レバー及び連結レバーが必要とされるため、部品点数が多く機構が複雑であるという問題がある。
【０００６】
また、可動リング部材が円環状に形成されているため、その配置スペースとして光が透過される透過孔の周囲の全体を必要とし、その分、撮像装置が大型になってしまうと言う問題もある。
【０００７】
そこで、本発明撮像装置は、上記した問題点を克服し、機構の簡素化等を図ることを課題とする。
【課題を解決するための手段】
【０００８】
本発明羽根開閉装置及び撮像装置は、上記した課題を解決するために、レンズの光軸に略垂直な面内に位置され外形が略円形状に形成された支持面部を有するベース板と、レンズの光軸に略垂直な面内においてベース板にそれぞれ回動自在に支持されると共に回動されてレンズに入射される光を制御する第１の羽根及び第２の羽根と、略円弧状に形成されたリンク部と使用者に操作される被操作部とを有すると共にレンズの光軸に略垂直な面内において直線移動される作動アームとを設け、第１の羽根と第２の羽根にそれぞれ作動アームに摺動自在に連結され作動アームによって回動力が付与される連結部を設け、第１の羽根の作動アームとの回動支点を連結部よりレンズの光軸に近い側に形成し、第２の羽根の作動アームとの連結部を回動支点よりレンズの光軸に近い側に形成したものである。
【０００９】
従って、本発明撮像装置にあっては、作動アームが直線移動されて第１の羽根と第２の羽根が光軸に直交する面内において互いに反対方向へ回動される。
【発明の効果】
【００１０】
本発明羽根開閉装置は、レンズの光軸に略垂直な面内に位置され外形が略円形状に形成された支持面部を有するベース板と、レンズの光軸に略垂直な面内においてベース板にそれぞれ回動自在に支持されると共に回動されてレンズに入射される光を制御する第１の羽根及び第２の羽根と、略円弧状に形成されたリンク部と使用者に操作される被操作部とを有すると共にレンズの光軸に略垂直な面内において直線移動される作動アームとを備え、第１の羽根と第２の羽根にそれぞれ作動アームに摺動自在に連結され作動アームによって回動力が付与される連結部を設け、第１の羽根の作動アームとの回動支点を連結部よりレンズの光軸に近い側に形成し、第２の羽根の作動アームとの連結部を回動支点よりレンズの光軸に近い側に形成したことを特徴とする。
【００１１】
従って、作動アームのみによって第１の羽根と第２の羽根が動作されるため、部品点数の削減及び機構の簡素化を図ることができる。
【００１２】
請求項２に記載した発明にあっては、作動アームをベース板の外周側において直線移動させるようにしたので、作動アームの移動スペースが小さくて済み、撮像装置の小型化を図ることができる。
【００１３】
請求項３に記載した発明にあっては、第１の羽根を作動アームの移動位置に応じて回動方向における一方又は他方へ付勢する第１のトグルバネと、第２の羽根を作動アームの移動位置に応じて回動方向における一方又は他方へ付勢する第２のトグルバネとを設けたので、第１の羽根と第２の羽根の何れの回動端においても第１の羽根と第２の羽根にガタツキや揺れが発生することがなく、第１の羽根と第２の羽根を確実に保持することができる。
【００１４】
請求項４に記載した発明にあっては、ベース板に光を入射させる透過孔を形成し、透過孔の中心をベース板の中心に対して偏心させてベース板に光軸と直交する方向における幅が広い幅広部と幅が狭い幅狭部とを設け、幅広部にリンク部の移動スペースを形成したので、ベース板を大型化することなく作動アームの移動スペースを容易に確保することができる。
【００１５】
本発明撮像装置は、撮影用の複数のレンズと該複数のレンズに入射される光の量を制御する羽根開閉装置とを備えた撮像装置であって、羽根開閉装置は、レンズの光軸に略垂直な面内に位置され外形が略円形状に形成された支持面部を有するベース板と、レンズの光軸に略垂直な面内においてベース板にそれぞれ回動自在に支持されると共に回動されてレンズに入射される光を制御する第１の羽根及び第２の羽根と、略円弧状に形成されたリンク部と使用者に操作される被操作部とを有すると共にレンズの光軸に略垂直な面内において直線移動される作動アームとを備え、第１の羽根と第２の羽根にそれぞれ作動アームに摺動自在に連結され作動アームによって回動力が付与される連結部を設け、第１の羽根の作動アームとの回動支点を連結部よりレンズの光軸に近い側に形成し、第２の羽根の作動アームとの連結部を回動支点よりレンズの光軸に近い側に形成したことを特徴とする。
【００１６】
従って、作動アームのみによって第１の羽根と第２の羽根が動作されるため、部品点数の削減及び機構の簡素化を図ることができる。
【発明を実施するための最良の形態】
【００１７】
以下に、本発明を実施するための最良の形態を添付図面に従って説明する。
【００１８】
以下に示した最良の形態は、本発明をビデオカメラに適用したものである。尚、本発明の適用範囲はビデオカメラに限られることはなく、例えば、スチルカメラや画像を撮影する他の撮像装置等に広く適用することができる。
【００１９】
以下の説明にあっては、ビデオカメラの撮影時において撮影者（使用者）から見た方向で前後上下左右の方向を示すものとする。従って、被写体側を前方とし、撮影者側を後方とする。尚、以下に示す前後上下左右の方向は説明の便宜上のものであり、本発明の実施に関しては、これらの方向に限定されることはない。
【００２０】
撮像装置（電子機器であるビデオカメラ）１は筐体２の内外に所要の各部が配置されて成る（図１乃至図３参照）。
【００２１】
撮像装置１は、装置本体３と該装置本体３に開閉自在かつ回動自在に連結された表示部４とを有している。
【００２２】
装置本体３の前端部にはレンズバリヤー部５が設けられている。装置本体３は前後に長い形状に形成され、外周面が天面３ａと底面３ｂと側面３ｃ、３ｃとによって構成されている。装置本体３の内部には図示しない撮影用のレンズ、例えば、ズームレンズやフォーカスレンズが複数配置され、これらのレンズが前後方向に離隔して位置されている。従って、撮像装置１にあっては、レンズの光軸方向が前後方向とされている。
【００２３】
天面３ａの左右方向における中央部には前後に長い上側指宛凹部６が形成されている（図１及び図２参照）。天面３ａには、上側指宛凹部６の真後ろの位置に複数の操作部７、７、・・・が配置されている。操作部７、７、・・・としては、例えば、ズーム摘子、静止画撮影用のシャッター釦、電源ダイヤル、録画モードと再生モードを切り替えるモード切替ダイヤル等が設けられている。
【００２４】
後面３ｄの上端寄りの位置にも操作部７が設けられ、該操作部７は、例えば、動画撮影又はその停止を行うための釦である。
【００２５】
底面３ｂの左右方向における中央部には前後に長い下側指宛凹部８が形成されている（図３参照）。底面３ｂには、下側指宛凹部８の近傍の位置に、三脚が取り付けられるネジ部９が設けられている。ネジ部９は雌ネジであり、下方に開口され筐体２の内部へ突出するように設けられている。
【００２６】
装置本体３の右側の側面３ｃにはグリップベルト１０が取り付けられている。
【００２７】
使用者は、図４に示すように、グリップベルト１０の内側に右手１００を下側から通し、掌を装置本体３に押し宛てて把持する。このとき、例えば、親指１０１や人差し指１０２で操作部７、７、・・・を操作し、中指１０３、薬指１０４及び小指１０５の各指先を上側指宛凹部６に宛う。
【００２８】
また、操作部７、７、・・・を操作しないときには、親指１０１を底面３ｂに形成された下側指宛凹部８に宛い、人差し指１０２、中指１０３、薬指１０４及び小指１０５の各指先を上側指宛凹部６に宛う。
【００２９】
使用者は、図５に示すように、左手２００の掌を装置本体３に押し宛てて把持することもできる。このとき、例えば、親指２０１や人差し指２０２で操作部７、７、・・・を操作し、中指２０３、薬指２０４及び小指２０５の各指先を上側指宛凹部６に宛う。
【００３０】
また、操作部７、７、・・・を操作しないときには、親指２０１を底面３ｂに形成された下側指宛凹部８に宛い、人差し指２０２、中指２０３、薬指２０４及び小指２０５の各指先を上側指宛凹部６に宛う。
【００３１】
このように撮像装置１にあっては、装置本体３の天面３ａの左右方向における中央部に上側指宛凹部６を形成しているため、右手１００と左手２００の何れの手でも撮影時における良好な把持性を確保することができる。このような良好な把持性を確保することにより、特に、像ブレのない高画質の映像を撮影することができる。
【００３２】
また、右手１００と左手２００の持ち替えに手間がかかることがないため、使い勝手の向上を図ることができる。
【００３３】
さらに、底面３ｂの左右方向における中央部に指先が宛われる下側指宛凹部８を形成しているため、操作部７、７、・・・を使用しない状態において撮像装置１の安定した把持状態を確保することができる。
【００３４】
加えて、上側指宛凹部６の後方に操作部７、７、・・・が設けられているため、安定した把持状態を確保した上で操作部７、７、・・・に対する操作性の向上を図ることができる。
【００３５】
装置本体３の右側の側面３ｃにおける後端部には、図１に示すように、右方に開口された端子配置部１１が形成され、該端子配置部１１には接続端子１２、１２が設けられている（図１参照）。接続端子１２、１２は、例えば、テレビジョン等の外部機器との接続用の端子として用いられる。
【００３６】
筐体２には端子配置部１１と内部とを連通する支持孔１１ａが形成されている（図６及び図７参照）。支持孔１１ａは、例えば、左右に貫通されている。端子配置部１１の前端部には係合凹部１１ｂが形成されている。
【００３７】
端子配置部１１は蓋部材１３によって開閉される。蓋部材１３は、図６乃至図８に示すように、蓋部１４と該蓋部１４の内面における後端部から突出されたアーム部１５と蓋部１４の内面における前端部に設けられた係合突部１６とが、例えば、エラストマーやポリプロピレン等の適度な強度と柔軟性を有する樹脂材料によって一体に形成されている。
【００３８】
アーム部１５は蓋部１４から直交する方向へ突出された第１の部分１５ａと該第１の部分１５ａに対して屈曲された第２の部分１５ｂとから成り、第１の部分１５ａと第２の部分１５ｂの連続部分が屈曲部１５ｃとして設けられている。第２の部分１５ｂの先端部にはストッパー突片１５ｄが設けられている。アーム部１５は、第１の部分１５ａが左右に延びる状態において、第２の部分１５ｂが後方へ折り曲げられる方向へ屈曲されている。
【００３９】
蓋部材１３は、端子配置部１１を閉塞した閉塞状態において、図６に示すように、第１の部分１５ａが支持孔１１ａに挿通され、屈曲部１５ｃが支持孔１１ａの内側開口縁に係合されている。このとき係合突部１６が係合凹部１１ｂに係合され、蓋部１４の外周部が側面３ｃに密着された状態とされている。
【００４０】
蓋部材１３は、端子配置部１１を開放した開放状態において、図７に示すように、第２の部分１５ｂが左右に延びる状態で支持孔１１ａに挿通され、第１の部分１５ａが第２の部分１５ｂから右斜め後方へ延びるように位置されている。従って、端子配置部１１は大きく開放されている。このときアーム部１５のストッパー突片１５ｄが支持孔１１ａの内側開口縁に係合され、蓋部材１３の筐体２からの脱落が防止されている。
【００４１】
上記したように、撮像装置１にあっては、アーム部１５に屈曲部１５ｃを有する蓋部材１３を用いているため、開放状態において端子配置部１１が大きく開放されており、接続端子１２、１２に対する外部機器等の着脱作業時に蓋部１４を手で押さえておく必要がなく、作業性が向上し使い勝手の向上を図ることができる。
【００４２】
また、端子配置部１１を閉塞した閉塞状態において、蓋部材１３の屈曲部１５ｃが支持孔１１ａの内側開口縁に係合されるため、閉塞状態において蓋部材１３にガタツキが生じ難く、閉塞状態の安定化を図ることができる。
【００４３】
筐体２の前面に設けられたレンズバリヤー部５は、ベース板１７を備えている（図９及び図１０参照）。
【００４４】
ベース板１７は外形が略円形状に形成された支持面部１８と該支持面部１８から下方へ突出されたケース部１９とを有し、支持面部１８の中央部に透過孔１８ａが形成されている。
【００４５】
透過孔１８ａの中心Ｐは支持面部１８の中心Ｑより稍上方に位置されている（図１１参照）。従って、ベース板１７にあっては、透過孔１８ａの中心Ｐが偏心されており、透過孔１８ａの下側の部分が光軸と直交する方向における幅が広い幅広部２０として設けられ、透過孔１８ａの上側の部分が光軸と直交する方向における幅が狭い幅狭部２１として設けられている。
【００４６】
支持面部１８の右端部には左右に貫通された摘子突出孔１８ｂが形成されている（図９参照）。
【００４７】
支持面部１８における背面の幅広部２０から右端部に亘る位置に、移動用凹部２２が形成されている（図９乃至図１１参照）。移動用凹部２２は摘子突出孔１８ｂに連通されている。支持面部１８の背面には、透過孔１８ａを挟んだ左右の位置にそれぞれ後方へ突出された支持ピン１８ｃ、１８ｄが設けられている。
【００４８】
支持面部１８の移動用凹部２２には作動アーム２３が上下方向へ移動自在に支持される。作動アーム２３は略円弧状に形成されたリンク部２４と該リンク部２４の左端部に設けられた支持突部２５とリンク部２４から右方へ突出された被操作部２６とから成る。支持突部２５はリンク部２４の後方に位置されている。リンク部２４の右端部には連結溝２４ａが形成され、支持突部２５の先端部には連結溝２５ａが形成されている。
【００４９】
ケース部１９の内部には図示しないマイクロフォンが配置される。
【００５０】
ベース板１７には第１の羽根２７と第２の羽根２８がそれぞれ回動自在に支持されている。
【００５１】
第１の羽根２７は羽根部２７ａと該羽根部２７ａの右端部から前方へ突出された連結部２７ｂと羽根部２７ａの右端部から後方へ突出されたバネ掛けピン２７ｃとから成る。第１の羽根２７の右端寄りの位置には被支持孔２７ｄが形成されている。
【００５２】
第１の羽根２７は被支持孔２７ｄに支持ピン１８ｃが挿入され、該支持ピン１８ｃを支点としてベース板１７に回動自在に支持される。第１の羽根２７は連結部２７ｂが作動アーム２３の連結溝２４ａに挿入され、作動アーム２３に対して回動可能とされる。
【００５３】
第１の羽根２７は回動支点（被支持孔２７ｄ）が連結部２７ｂより内側に位置されている。従って、作動アーム２３が下方へ移動されると第１の羽根２７は略上方へ移動されるように回動され、作動アーム２３が上方へ移動されると第１の羽根２７は略下方へ移動されるように回動される。
【００５４】
第２の羽根２８は羽根部２８ａと該羽根部２８ａの左端寄りの位置から後方へ突出された連結部２８ｂと羽根部２８ａの右端部から後方へ突出されたバネ掛けピン２８ｃとから成る。第２の羽根２８の左端部には被支持孔２８ｄが形成されている。
【００５５】
第２の羽根２８は被支持孔２８ｄに支持ピン１８ｄが挿入され、該支持ピン１８ｄを支点としてベース板１７に回動自在に支持される。第２の羽根２８は連結部２８ｂが作動アーム２３の連結溝２５ａに挿入され、作動アーム２３に対して回動可能とされる。
【００５６】
第２の羽根２８は回動支点（被支持孔２８ｄ）が連結部２８ｂより外側に位置されている。従って、作動アーム２３が下方へ移動されると第２の羽根２８は略下方へ移動されるように回動され、作動アーム２３が上方へ移動されると第２の羽根２８は略上方へ移動されるように回動される。
【００５７】
ベース板１７に作動アーム２３、第１の羽根２７及び第２の羽根２８が支持された状態において、ベース板１７に後方から押さえ板２９が取り付けられる。従って、作動アーム２３、第１の羽根２７及び第２の羽根２８はベース板１７と押さえ板２９の間で移動可能な状態で保持される。
【００５８】
押さえ板２９の右端側の部分には連結用切欠２９ａと連結用孔２９ｂが形成され、連結用切欠２９ａと連結用孔２９ｂの縁部にそれぞれ後方へ突出されたバネ掛け片２９ｃ、２９ｄが設けられている。
【００５９】
第１の羽根２７のバネ掛けピン２７ｃと押さえ板２９のバネ掛け片２９ｃとの間には連結用切欠２９ａを通ってトグルバネ３０が支持され、第２の羽根２８のバネ掛けピン２８ｃと押さえ板２９のバネ掛け片２９ｄとの間には連結用孔２９ｂを通ってトグルバネ３１が支持される。従って、第１の羽根２７と第２の羽根２８は各回動方向においてそれぞれトグルバネ３０、３１によって付勢される。
【００６０】
押さえ板２９の後方からは取付板３２が押さえ板２９とベース板１７に取り付けられ、押さえ板２９とベース板１７が固定される。
【００６１】
レンズバリヤー部５において、使用者によって被操作部２６が、例えば、下方へ操作されて作動アーム２３が下方へ移動されると、図１２に示すように、第１の羽根２７が略上方へ移動されるように回動されると共に第２の羽根２８が略下方へ移動されるように回動され、透過孔１８ａが開放される。第１の羽根２７と第２の羽根２８によって透過孔１８ａが開放された状態においては、第１の羽根２７と第２の羽根２８がそれぞれトグルバネ３０、３１によって互いに遠去かる方向へ付勢され、羽根部２７ａ、２８ａがベース板１７の一部に接触しガタツキがない状態で保持される。
【００６２】
一方、使用者によって、被操作部２６が上方へ操作されて作動アーム２３が上方へ移動されると、図１３に示すように、第１の羽根２７が略下方へ移動されるように回動されると共に第２の羽根２８が略上方へ移動されるように回動され、透過孔１８ａが閉塞される。第１の羽根２７と第２の羽根２８によって透過孔１８ａが閉塞された状態においては、第１の羽根２７と第２の羽根２８がそれぞれトグルバネ３０、３１によって互いに近付く方向へ付勢され、羽根部２７ａ、２８ａが接触しガタツキがない状態で保持される。
【００６３】
上記したように、撮像装置１にあっては、作動アーム２３のみによって第１の羽根２７と第２の羽根２８を動作させるようにしているため、部品点数の削減及び機構の簡素化を図ることができる。
【００６４】
また、作動アーム２３が円環状に形成されていないため、作動アーム２３の移動スペースとして透過孔１８ａの全周を必要とせず、その分、移動スペースの低減による撮像装置１の小型化を図ることができる。
【００６５】
さらに、作動アーム２３がベース板１７の外周側において直線移動されるため、作動アーム２３の移動スペースが小さくて済み、撮像装置１の一層の小型化を図ることができる。
【００６６】
さらにまた、レンズバリヤー部５にあっては、第１の羽根２７と第２の羽根２８をそれぞれ開放方向及び閉塞方向へ付勢するトグルバネ３０、３１を設けているため、透過孔１８ａが開放された状態及び閉塞された状態の何れの状態においても第１の羽根２７と第２の羽根２８にガタツキや揺れが発生することがなく、透過孔１８ａが開放された状態及び閉塞された状態を確実に保持することができる。
【００６７】
尚、上記したように、トグルバネ３０、３１を透過孔１８ａの外周側における一方の側（右側）に配置することにより、トグルバネ３０、３１が配置されないスペースを他の部品の配置スペースとして利用することができ、撮像装置１の小型化を図ることができる。
【００６８】
加えて、レンズバリヤー部５にあっては、透過孔１８ａの中心Ｐをベース板１７の中心Ｑに対して偏心させて作動アーム２３の移動スペースとなる幅広部２０を形成しているため、レンズバリヤー部５を大型化することなく作動アーム２３の移動スペースを容易に確保することができる。
【００６９】
装置本体３の前面３ｅにはレンズバリヤー部５の側方の位置に、赤外線発光部３ｆが設けられている（図１及び図５参照）。赤外線発光部３ｆは、被操作部２６が操作されず透過孔１８ａが第１の羽根２７と第２の羽根２８によって閉塞されている状態において、被操作部２６によって前面側から遮蔽されている（図１参照）。
【００７０】
一方、赤外線発光部３ｆは、被操作部２６が操作され透過孔１８ａが開放されている状態において、被操作部２６によって遮蔽されない（図５参照）。従って、赤外線発光部３ｆは、不使用時には被操作部２６によって前面側から遮蔽され、使用時にのみ開放されるため、赤外線発光部３ｆの保護を図ることができる。
【００７１】
装置本体３の後面３ｄには凹状に形成されたバッテリー装着部３３が形成されている（図１４参照）。バッテリー装着部３３の左右両側部には後述するバッテリーを取り付けるための装着用突部３３ａ、３３ａ、・・・が設けられている。
【００７２】
バッテリー装着部３３の下端部には前後に貫通されたレバー支持孔３３ｂが形成されている（図１５参照）。
【００７３】
レバー支持孔３３ｂにはロックレバー３４が前後方向へ移動自在に支持されている。ロックレバー３４はロック部３５と該ロック部３５の後端に連続され下方に開口された凹状に形成された連結用凹部３６とから成る。連結用凹部３６の後端部には案内用傾斜面３６ａが形成されている。案内用傾斜面３６ａは後方へ行くに従って上方へ変位するように傾斜されている。
【００７４】
ロックレバー３４はロック部３５がレバー支持孔３３ｂに対して摺動される。ロックレバー３４は、連結用凹部３６が筐体２の後面壁に接する位置まで後方へ移動可能とされ、連結用凹部３６が図示しないストッパーに接する位置まで前方へ移動可能とされる。
【００７５】
筐体２の下面側は開口され、この開口は筐体２に着脱可能とされた開閉蓋３７によって開閉される。開閉蓋３７は筐体２の内部における下端部に配置された後述するハードディスクドライブの取出又は取付等を行うための蓋である。
【００７６】
開閉蓋３７の後端部には上下に貫通されたスライド支持孔３７ａが形成され、該スライド支持孔３７ａにリリースレバー３８が前後方向へ移動自在に支持されている。リリースレバー３８は略平板状に形成されたスライド操作部３９と該スライド操作部３９の後端部から上方へ突出された連結用突部４０とから成り、該連結用突部４０の上端部には案内用傾斜面４０ａが形成されている。案内用傾斜面４０ａは前方へ行くに従って上方へ変位するように傾斜されている。
【００７７】
リリースレバー３８は開閉蓋３７の外面側と内面側に跨った状態で支持され、開閉蓋３７の内面に取り付けられた押さえ部材４１によって押さえられている。
【００７８】
リリースレバー３８が開閉蓋３７に支持された状態において、リリースレバー３８と開閉蓋３７との間に圧縮コイルバネ４２が支持される。従って、リリースレバー３８は圧縮コイルバネ４２によって後方へ付勢される。
【００７９】
開閉蓋３７が取り外された状態においては、ロックレバー３４とリリースレバー３８は連結されていない（図１６参照）。
【００８０】
開閉蓋３７が取り付けられるときには、図１７に示すように、リリースレバー３８の案内用傾斜面４０ａがロックレバー３４の案内用傾斜面３６ａと摺接され、リリースレバー３８の連結用突部４０がロックレバー３４の連結用凹部３６に挿入されて嵌合され両者が連結される（図１５参照）。
【００８１】
リリースレバー３８とロックレバー３４が連結されると、ロックレバー３４にはリリースレバー３８を介して圧縮コイルバネ４２の付勢力が付与され、ロックレバー３４が後方へ付勢されてロック部３５がレバー支持孔３３ｂから後方へ突出された状態が保持される。
【００８２】
開閉蓋３７が筐体２に取り付けられた状態において、バッテリー３００が、例えば、下方からバッテリー装着部３３に対してスライドされていくと、図１８に示すように、バッテリー３００によってロックレバー３４が圧縮コイルバネ４２の付勢力に抗してリリースレバー３８と一体となって前方へ移動される。
【００８３】
バッテリー３００をさらに上方へスライドさせると、図１９に示すように、バッテリー３００の装着片３００ａ、３００ａ、・・・にそれぞれ装着用突部３３ａ、３３ａ、・・・が係合され、圧縮コイルバネ４２の付勢力によってロックレバー３４のロック部３５がバッテリー３００に形成されたロック用凹部３００ｂに挿入される。従って、バッテリー３００はロックレバー３４にロックされた状態でバッテリー装着部３３に装着される。
【００８４】
バッテリー３００のバッテリー装着部３３からの取り外しは、リリースレバー３８を前方へスライド操作してロックレバー３４によるバッテリー３００のロック状態を解除し、バッテリー３００を下方へスライドすることにより行うことができる。
【００８５】
開閉蓋３７の取付としては、例えば、図２０に示すように、開閉蓋３７に取付突部３７ｂ、３７ｂ、・・・を設け、筐体２に取付凹部２ａ、２ａ、・・・を形成し、取付突部３７ｂ、３７ｂ、・・・をそれぞれ取付凹部２ａ、２ａ、・・・に係合することにより行うことができる。尚、逆に、開閉蓋３７に取付凹部を形成し、筐体２に取付突部を設け、両者を係合することにより開閉蓋３７を取り付けることもできる。
【００８６】
また、図２１に示すように、開閉蓋３７を筐体２にヒンジ機構４３を介して開閉可能に連結し、ヒンジ機構４３が設けられた側と反対側にロック片３７ｃや係合片３７ｃを設け、筐体２にロック用凹部２ｂや係合用凹部２ｂを形成し、ロック片３７ｃ又は係合片３７ｃをロック用凹部２ｂ又は係合用凹部２ｂに係合することにより行うことができる。尚、逆に、開閉蓋３７にロック用凹部又は係合用凹部を形成し、筐体２にロック片又は係合片を設け、両者を係合することにより開閉蓋３７を取り付けることもできる。
【００８７】
上記したように、撮像装置１にあっては、バッテリー装着部３３に支持されたロックレバー３４と開閉蓋３７に支持されたリリースレバー３８とを設け、開閉蓋３７が筐体２に取り付けられるときに、同時に、ロックレバー３４とリリースレバー３８が連結され、開閉蓋３７が筐体２から取り外されるときに、同時に、ロックレバー３４とリリースレバー３８の連結が解除されるようにしている。
【００８８】
従って、ハードディスクドライブを開閉する開閉蓋３７を設けた場合にあっても、開閉蓋３７の開閉作業（筐体２に対する取付及び取り外し）時に、別に、ロックレバー３４とリリースレバー３８の連結又はその解除作業を行う必要がなく、作業性の向上による撮像装置１の使い勝手の向上を図ることができる。
【００８９】
また、ロックレバー３４の連結用凹部３６に案内用傾斜面３６ａを形成し、リリースレバー３８の連結用突部４０に案内用傾斜面４０ａを形成しているため、ロックレバー３４とリリースレバー３８の連結を円滑に行うことができる。
【００９０】
尚、上記には、ロックレバー３４に連結用凹部３６を設け、リリースレバー３８に連結用突部４０を設けた構成を例として示したが、逆に、ロックレバーに連結用突部を設け、リリースレバーに連結用凹部を設けることも可能である。
【００９１】
また、上記には、連結用凹部３６と連結用突部４０の双方に案内用傾斜面３６ａ、４０ａを形成した例を示したが、案内用傾斜面は連結用凹部又は連結用突部の一方にのみ形成するようにしてもよい。
【００９２】
筐体２の左側部には、その下端部に左方へ突出された受部３ｇが設けられている。筐体２の左側の側面３ｃに回動可能に連結された表示部４は、閉塞された状態において受部３ｇの上側に位置され、縦断面が略平行四辺形状に形成されている（図２２及び図２３参照）。
【００９３】
筐体２の天面３ａは上方へ凸の緩やかな曲面状に形成されている。表示部４の表示画面４ａが筐体２の側面３ｃに対向した向きとされている状態において、天面３ａが表示部４の上面４ｂと傾斜した状態で略連続される（図２２参照）。
【００９４】
また、表示部４は前後に延びる軸を支点として回転され表示画面４ａと反対側の面が筐体２の側面３ｃに対向した向きとされるが、この状態において、天面３ａが表示部４の下面４ｃ（回転されて上方に位置された面）と傾斜した状態で略連続される（図２３参照）。従って、撮像装置１にあっては、表示部４の回転前及び回転後の両方の向きにおいて、上方に位置する面が筐体２の天面２ａと傾斜した状態で略連続される。
【００９５】
撮像装置１にあっては、表示部４の二つの面がそれぞれ筐体２の側面３ｃと受部３ｇに対向した状態とされている（図２２及び図２３参照）。このとき、例えば、表示部４に側方からの外力Ｆが付与された場合に、外力Ｆが側面３ｃで受けられ、表示部４が撓んで上下方向へ逃げる力Ｔ１、Ｔ２が発生するが、逃げる力Ｔ１、Ｔ２のうち一方の力Ｔ２のみが受部３ｇで受けられ力Ｔ１は受けられないため、表示部４の破損や損傷を防止することができる。
【００９６】
筐体２の内部には、金属材料によって形成された保持フレーム４４、４５が配置されている（図２４参照）。
【００９７】
保持フレーム４４は筐体２の内部に配置されたレンズ鏡筒部４６を上方側から覆うように配置され、右側の側部に基板取付部４４ａ、４４ｂを有している。基板取付部４４ａ、４４ｂは左右方向を向いた状態で左右に離隔して位置され、基板取付部４４ａ、４４ｂにはそれぞれ制御回路基板４７、４８が取り付けられている。制御回路基板４７、４８は電源の制御や各部の動作制御等を行う回路基板である。
【００９８】
保持フレーム４４には、基板取付部４４ａの右方に離隔して取付部４４ｃが設けられている。
【００９９】
保持フレーム４５はレンズ鏡筒部４６を下方側から覆うように配置され、一部が保持フレーム４４に固定されている。
【０１００】
筐体２の内部には、図１４及び図２４に示すように、板状の金属材料によって形成されたドライブホルダー４９が配置され、該ドライブホルダー４９は第１のケース部５０と第２のケース部５１が上下で結合されて成る。
【０１０１】
第１のケース部５０は下方に開口された略箱状に形成された収納部５０ａと該収納部５０ａの右端部から上方へ突出された被取付部５０ｂとを有している。
【０１０２】
第２のケース部５１は収納面部５１ａと該収納面部５１ａの右端部から上方へ突出された被取付部５１ｂとを有している。収納面部５１ａは開閉蓋３７の内面に固定されている。
【０１０３】
尚、上記には、開閉蓋３７に支持されたリリースレバー３８を押さえる押さえ部材４１について説明したが、この押さえ部材４１は第２のケース部５１と同一の部材であってもよい。押さえ部材４１と第２のケース部５１を同一の部材とすることにより、部品点数の削減を図ることができる。
【０１０４】
ドライブホルダー４９は第１のケース部５０の被取付部５０ｂと第２のケース部５１の被取付部５１ｂが重ね合わされた状態で保持フレーム４４の取付部４４ｃに固定されている。
【０１０５】
ドライブホルダー４９には第１のケース部５０の収納部５０ａと第２のケース部５１の収納面部５１ａとの間に、ウレタン材料等によって形成されたバンパー５２、５３を介してハードディスクドライブ５４が保持されている。バンパー５２、５３はそれぞれハードディスクドライブ５４の左右両端部に取り付けられ、ハードディスクドライブ５４に対する衝撃を緩和する機能を有する。
【０１０６】
ハードディスクドライブ５４は、図２４に示すように、水平面Ｈに対して所定の角度α傾斜した状態でドライブホルダー４９に保持されている。
【０１０７】
ハードディスクドライブ５４の水平面Ｈに対する傾斜角度αは、例えば、１０°乃至３０°に設定されている。このようにハードディスクドライブ５４は水平面Ｈに対して傾斜されており、筐体２の内部におけるハードディスクドライブ５４の下方に空間５５が形成される。空間５５には三脚が取り付けられる上記ネジ部９が配置されている。
【０１０８】
撮像装置１においては、各部の駆動時に制御回路基板４７、４８が発熱するが、発生した熱は、主に、図２４に矢印で示すように、保持フレーム４４を伝達されレンズ鏡筒部４６の上方側を通って左方側へ移動され、筐体２に伝達されて左側の側面３ｃから外部へ放出される。このときドライブホルダー４９へも熱が移動するが、バンパー５２、５３によって熱が遮断されてハードディスクドライブ５４にはほとんど伝達されない。従って、制御回路基板４７、４８に発生する熱のハードディスクドライブ５４に対する影響は軽減される。
【０１０９】
撮像装置１は、一般に、グリップベルト１０が取り付けられた筐体２の右側の部分が右手１００によって把持される。従って、上記のように、制御回路基板４７、４８に発生した熱を筐体２の左側の側面３ｃから外部へ放出することにより、把持した右手１００に熱が伝達されず、撮像装置１の良好な把持性を確保することができる。
【０１１０】
上記したように、撮像装置１にあっては、ハードディスクドライブ５４を水平面Ｈに対して所定の角度α傾斜させた状態でレンズ鏡筒部４６の下側に配置している。
【０１１１】
従って、ハードディスクドライブ５４が水平状態で配置されている場合に比し、例えば、使用者が撮像装置１を誤って落下したとき等にハードディスクドライブ５４に付与される衝撃力が傾斜された向きに応じて分力として付与されることにより緩和され、ハードディスクドライブ５４の正常な動作を確保することができる。
【０１１２】
また、ハードディスクドライブ５４に対する衝撃力の緩和により、衝撃力を吸収するダンパー５２、５３の厚みを薄くすることができ、その分、撮像装置１の小型化を図ることができる。
【０１１３】
さらに、ハードディスクドライブ５４の水平面Ｈに対する角度を１０°乃至３０°としているため、空間５５の大きさを必要以上に大きくすることなく、衝撃力の緩和を図ることができる。
【０１１４】
さらにまた、ハードディスクドライブ５４の下側の空間５５に三脚が取り付けられるネジ部９を配置しているため、スペースの有効活用による撮像装置１の小型化を図ることができる。
【０１１５】
加えて、ハードディスクドライブ５４を保持するドライブホルダー４９を金属材料によって形成しているため、ハードディスクドライブ５４を強固に保持することができると共にドライブホルダー４９が薄型化され撮像装置１の小型化を図ることができる。
【０１１６】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１１７】
【図１】図２乃至図２４と共に本発明の最良の形態を示すものであり、本図は、撮像装置の斜視図である。
【図２】撮像装置を図１とは別の方向から見た状態で示す斜視図である。
【図３】撮像装置を図１及び図２とは別の方向から見た状態で示す斜視図である。
【図４】撮像装置を右手で把持した状態を示す斜視図である。
【図５】撮像装置を左手で把持した状態を示す斜視図である。
【図６】端子配置部が蓋部材によって閉塞された状態を示す拡大断面図である。
【図７】端子配置部が蓋部材によって開放された状態を示す拡大断面図である。
【図８】蓋部材を示す拡大斜視図である。
【図９】レンズバリヤー部の拡大分解斜視図である。
【図１０】押さえ板を分離して示すレンズバリヤー部の拡大斜視図である。
【図１１】ベース板の拡大背面図である。
【図１２】透過孔が開放された状態を示す拡大正面図である。
【図１３】透過孔が閉塞された状態を示す拡大正面図である。
【図１４】ハードディスクドライブ及びこれに関連する部材を分離して示す撮像装置の斜視図である。
【図１５】図１６乃至図１９と共にロックレバーとリリースレバーの連結及びバッテリーの装着時の動作を示すものであり、本図は、ロックレバーとリリースレバーが連結された状態を示す拡大断面図である。
【図１６】ロックレバーとリリースレバーが連結される前の状態を示す拡大断面図である。
【図１７】ロックレバーとリリースレバーが連結されている途中の状態を示す拡大断面図である。
【図１８】バッテリーがバッテリー装着部に装着されている途中の状態を示す拡大断面図である。
【図１９】バッテリーがバッテリー装着部に装着されてロックされた状態を示す拡大断面図である。
【図２０】図２１と共に開閉蓋の取付例を示すものであり、本図は、開閉蓋に取付突部が設けられた例を示す概念図である。
【図２１】開閉蓋がヒンジ機構によって支持された例を示す概念図である。
【図２２】図２３と共に装置本体と表示部の形状の関係を示すものであり、本図は、表示画面が装置本体に対向して位置されている状態を示す概念図である。
【図２３】図２２に対して表示部が反転された状態を示す概念図である。
【図２４】内部構造を示す概略拡大断面図である。
【符号の説明】
【０１１８】
１…撮像装置、１７…ベース板、１８…支持面部、２０…幅広部、２１…幅狭部、２３…作動アーム、２４…リンク部、２６…被操作部、２７…第１の羽根、２７ｂ…連結部、２７ｄ…被支持孔（回動支点）、２８…第２の羽根、２８ｂ…連結部、２８ｄ…被支持孔（回動支点）、３０…トグルバネ、３１…トグルバネ
【図１】
2008164971.tif 000003
【図２】
2008164971.tif 000004
【図３】
2008164971.tif 000005
【図４】
2008164971.tif 000006
【図５】
2008164971.tif 000007
【図６】
2008164971.tif 000008
【図７】
2008164971.tif 000009
【図８】
2008164971.tif 000010
【図９】
2008164971.tif 000011
【図１０】
2008164971.tif 000012
【図１１】
2008164971.tif 000013
【図１２】
2008164971.tif 000014
【図１３】
2008164971.tif 000015
【図１４】
2008164971.tif 000016
【図１５】
2008164971.tif 000017
【図１６】
2008164971.tif 000018
【図１７】
2008164971.tif 000019
【図１８】
2008164971.tif 000020
【図１９】
2008164971.tif 000021
【図２０】
2008164971.tif 000022
【図２１】
2008164971.tif 000023
【図２２】
2008164971.tif 000024
【図２３】
2008164971.tif 000025
【図２４】
2008164971.tif 000026